(57)【特許請求の範囲】
【請求項１】
表ケースと裏ケースとからなる本体ケースの一面に本体吸込口、他面に本体吐出口をそれぞれ設け、本体ケース内に表ケースと裏ケースとから突出した壁面により形成される複数の渦巻き形状の風洞を設け、各風洞は風洞吸込口と風洞吐出口とを有しており、本体ケース内に空気を送るための送風部が駆動用モーターと各風洞内に同一軸上に設置される複数のシロッコファンとを有していると共に、シロッコファンのファン吸込口が風洞吸込口に近接しており、風洞吸込口と本体吸込口との間には送風部により吸い込まれた空気を浄化するためのフィルターを備えている空気清浄器において、複数のシロッコファンのうちの少なくとも対向しているファン吸込口側の風洞吸込口に、ベルマウス構造の空気導入部材を配設し、この空気導入部材は、シロッコファンのファン吸込口に空気を誘い込む筒状部と、筒状部の外径方向に延びて本体ケースに対して位置規制される平板部とで構成され、平板部の外周側に、先端になる程風洞吸込口側に向けて傾斜した誘い込み板を突設し、この誘い込み板の外周端を本体ケースに設けた位置規制リブに位置規制してなることを特徴とする空気清浄器。
【請求項２】
表ケースと裏ケースとからなる本体ケースの一面に本体吸込口、他面に本体吐出口をそれぞれ設け、本体ケース内に表ケースと裏ケースとから突出した壁面により形成される複数の渦巻き形状の風洞を設け、各風洞は風洞吸込口と風洞吐出口とを有しており、本体ケース内に空気を送るための送風部が駆動用モーターと各風洞内に同一軸上に設置される複数のシロッコファンとを有していると共に、シロッコファンのファン吸込口が風洞吸込口に近接しており、風洞吸込口と本体吸込口との間には送風部により吸い込まれた空気を浄化するためのフィルターを備えている空気清浄器において、複数のシロッコファンのうちの少なくとも対向しているファン吸込口側の風洞吸込口に、ベルマウス構造の空気導入部材を配設し、この空気導入部材は、シロッコファンのファン吸込口に空気を誘い込む筒状部と、筒状部の外径方向に延びて本体ケースに対して位置規制される平板部とで構成され、平板部に段差部を設け、表ケースと裏ケースに段差部を挟持して位置規制する位置規制部を設けてなることを特徴とする空気清浄器。
【請求項３】
空気導入部材に、一端が筒状部の内側に開口し、他端が平板部の外側に開口したスリット孔を形成し、スリット孔内にシロッコファンの軸を通すことで空気導入部材を風洞吸込口に設置できるようにし且つこの設置状態でスリット孔が閉じられるように構成されていることを特徴とする請求項１又は請求項２記載の空気清浄器。
【請求項４】
空気導入部材を本体ケースに設けた位置規制リブに嵌合させると共に、空気導入部材のリブ嵌合面に誘い込み用の傾斜面を設けたことを特徴とする請求項１〜請求項３のいずれかに記載の空気清浄器。
【請求項５】
平板部のスリット孔をシロッコファンのファン吐出口に直接対向しない位置に設けたことを特徴とする請求項３記載の空気清浄器。
【請求項６】
空気導入部材を弾性体で構成したことを特徴とする請求項１〜請求項５のいずれかに記載の空気清浄器。
【請求項７】
シロッコファンのファン吸込口側の羽根側面と空気導入部材とを一体に構成したことを特徴とする請求項１記載の空気清浄器。
【請求項８】
空気導入部材の外径寸法を羽根の外径寸法よりも大きくして、空気導入部材の外周部を風洞内壁と重なる位置に配置したことを特徴とする請求項７記載の空気清浄器。
【発明の詳細な説明】
【０００１】
【発明の属する技術分野】
本発明は、室内空気中に含まれる粉塵や臭気を捕集し、脱臭するための空気清浄器に関するものである。
【０００２】
【従来の技術】
家庭内に発生する粉塵や臭気を捕集、脱臭するための空気清浄器において、表ケースと裏ケースとからなる本体ケースの一面に本体吸込口、他面に本体吐出口をそれぞれ設け、本体ケース内に表ケースと裏ケースとから突出した壁面により形成される複数の渦巻き形状の風洞を設け、各風洞は風洞吸込口と風洞吐出口とを有しており、各風洞内に送風する送風部が駆動用モーターと各風洞内に同一軸上に設置される複数のシロッコファンとを有すると共に、シロッコファンのファン吸込口を風洞吸込口に近接配置し、風洞吸込口と本体吸込口との間には送風部により吸い込まれた空気を浄化するためのフィルターを備えているものが知られている。
【０００３】
【発明が解決しようとする課題】
ところが、従来のように複数のシロッコファンが同一軸上に設置されているものにあっては、ファンとファンとが互いに影響しあって、本体吐出口からの逆流や、ファンとファンとの間の空気の流れが乱れる混流が発生しており、このためファン吸込口への空気の流れがスムーズにならず、これが性能低減の要因となっている。また圧力損失が大きく、さらに大きな騒音が発生するという問題もある。
【０００４】
本発明は、上記の従来例の問題点に鑑みて発明したものであって、その目的とするところは、複数のシロッコファンを同一軸上に設置した構造でありながら、ファンとファンとが互いに影響しあうことによる性能低減を防止でき、さらに圧力損失を抑えて、低騒音化を図ることができる空気清浄器を提供するにある。
【０００５】
【課題を解決するための手段】
上記課題を解決するために本発明は、表ケース３と裏ケース４とからなる本体ケース２の一面に本体吸込口１６、他面に本体吐出口１７をそれぞれ設け、本体ケース２内に表ケース３と裏ケース４とから突出した壁面９８により形成される複数の渦巻き形状の風洞５を設け、各風洞５は風洞吸込口１８と風洞吐出口１９とを有しており、本体ケース２内に空気を送るための送風部が駆動用モーター２０と各風洞５内に同一軸上に設置される複数のシロッコファン６とを有していると共に、シロッコファン６のファン吸込口２１が風洞吸込口１８に近接しており、風洞吸込口１８と本体吸込口１６との間には送風部により吸い込まれた空気を浄化するためのフィルターを備えている空気清浄器において、複数のシロッコファン６のうちの少なくとも対向しているファン吸込口２１ａ側の風洞吸込口１８に、ベルマウス構造の空気導入部材７を配設し、空気導入部材７は、シロッコファン６のファン吸込口２１ａに空気を誘い込む筒状部８と、筒状部８の外径方向に延びて本体ケース２に対して位置規制される平板部９とで構成されていると共に、空気導入部材７の平板部９の外周側に、先端になる程風洞吸込口１８側に向けて傾斜した誘い込み板１０を突設し、この誘い込み板１０の外周端を本体ケース２に設けた位置規制リブ１４に位置規制してなることを特徴としており、このように構成することで、空気導入部材７によってファン吸込口２１ａ内への空気の導入がスムーズになされ、本体吐出口１７からの逆流や、ファンとファンとの間の空気の混流を減少させることができ、複数のシロッコファン６を同一軸上に設置した構造でありながら、ファンとファンとが互いに影響しあうことによる性能低減を防止できる。また上記空気導入部材７は、ファン吸込口２１ａに空気を誘い込む筒状部８と、筒状部８の外径方向に延びて本体ケース２に位置規制される平板部９とで構成されるので、空気導入部材７による性能の確保を図りながら、空気導入部材７を本体ケース２に対して容易に固定できる。また上記空気導入部材７の平板部９の外周側に、先端になる程風洞吸込口１８側に向けて傾斜した誘い込み板１０を突設し、誘い込み板１０の外周端を本体ケース２に設けた位置規制リブ１４に位置規制したので、誘い込み板１０によって風洞流路幅ｅを広く確保できる。
【０００６】
また上記空気導入部材７の平板部９に段差部１１を設け、表ケース３と裏ケース４に段差部１１を挟持して位置規制する位置規制部ａ１，ａ２，ｂ１，ｂ２を設けてなることを特徴としており、このように構成することで、本体ケース２の組み立て時に段差部１１を挟持して位置規制することで空気導入部材７を簡単に固定でき、固定用リブなど複雑な構造のものを本体ケース２に別に設ける必要がなくなる。
【０００７】
また上記空気導入部材７に、一端が筒状部８の内側に開口し、他端が平板部９の外側に開口したスリット孔１２を形成し、スリット孔１２内にシロッコファン６の軸３１を通すことで空気導入部材７を風洞吸込口１８に設置できるようにし且つこの設置状態でスリット孔１２が閉じられるように構成されているのが好ましく、この場合、空気導入部材７を本体ケース２の風洞５内に組み込むにあたって、先に複数のシロッコファン６と軸３１とが先に本体ケース２内に組み込まれている場合にあっても、スリット孔１２内にシロッコファン６の軸３１を通すことで空気導入部材７を後から設置することができる。また、空気導入部材７を設置した時にスリット孔１２が閉じられるので、スリット孔１２に空気が通過して騒音の要因になる可能性がなくなる。
【０００８】
また上記空気導入部材７を本体ケース２に設けた位置規制リブ１４に嵌合させると共に、空気導入部材７のリブ嵌合面１３に誘い込み用の傾斜面１３ａを設けるのが好ましく、この場合、空気導入部材７を本体ケース２内に装着した時に空気導入部材７のリブ嵌合面１３が位置規制リブ１４により位置規制されて、スリット孔１２が密着した状態となり、スリット孔１２での騒音の発生を効果的に抑えることができる。
【０００９】
また上記平板部９のスリット孔１２をシロッコファン６のファン吐出口に直接対向しない位置に設けるのが好ましく、この場合、仮にスリット孔１２で騒音が発生したときでも、その騒音は本体吐出口１７から遠い位置で発生するために、ファン回転時のスリット孔１２での騒音が外部に漏れるのを有効に防止できる。
【００１０】
また上記空気導入部材７を弾性体で構成したので、空気導入部材７の本体ケース２への組込時において弾性のたわみを利用することができるので、空気導入部材７の取り付け作業が容易にできる。
【００１１】
また上記シロッコファン６のファン吸込口２１ａ側の羽根側面２２ａと空気導入部材７とを一体に構成するのが好ましく、この場合、空気導入部材７をシロッコファン６とは別部品で構成する必要がなくなる。
【００１２】
また上記空気導入部材７の外径寸法を羽根２２の外径寸法よりも大きくして、空気導入部材７の外周部７ａを風洞５内壁と重なる位置に配置するのが好ましく、この場合、風洞５内壁と空気導入部材７の外周部７ａとをオーバーラップさせることができ、シロッコファン６からの吐出風とシロッコファン６ヘの吸込風とを分離することができる。
【００１３】
【発明の実施の形態】
以下、本発明を添付図面に示す実施形態に基づいて説明する。
【００１４】
図１〜図７は本発明の基本概念の説明図である。
【００１５】
空気清浄器１は、図２〜図４に示すように、前面が開口した箱状の本体ケース２が表ケース３と裏ケース４とで構成されている。本体ケース２の前面及び下面には本体吸込口１６、上面には本体吐出口１７がそれぞれ設けられている。本体ケース２の前面開口部は前カバー４４により閉じられる。本体ケース２内における本体吸込口１６と風洞吸込口１８との間には、プレフィルタ４１と、電気的に粉塵を捕集する放電極ブロック４２と、機械的に粉塵を捕集する集塵フィルタ４３とがそれぞれ収納されており、図４の矢印に示すように本体吸込口１６から流入した室内空気はプレフィルタ４１、放電極ブロック４２、集塵フィルタ４３を順に通過して除塵、脱臭され、送風部を通過して浄化された空気が本体吐出口１７から流出するようになっている。
【００１６】
本体ケース２内には、図３に示すように、表ケース３と裏ケース４とから突出した壁面９８（図１）により形成される渦巻き形状の風洞５が２つ設けられている。各風洞５はそれぞれ風洞吸込口１８と風洞吐出口１９とを有している。本例では風洞吐出口１９は本体吐出口１７（図４）と同一となっている。
【００１７】
本体ケース２内に空気を送るための送風部は、駆動用モーター２０と、各風洞５内に同一軸上に設置される２つのシロッコファン６とからなる。シロッコファン６のファン吸込口は風洞吸込口１８に近接して配置されている。図３の例では、シロッコファン６の各ファン吸込口のうち、対向するファン吸込口を２１ａで示し、他のファン吸込口を２１で示している。なお図３では空気導入部材７の図示を省略している。
【００１８】
上記同一軸上に設置される２つのシロッコファン６は、駆動用モーター２０の回転軸４５にカップリング４６を介して連結された１つの軸３１に対して所定の間隔をあけて並べて固着されており、これら２つのシロッコファン６を囲むようにして渦巻き形状の風洞５がそれぞれ形成されている。なお軸３１の先端はベアリング４７を介して本体ケース２に回転自在に支持されている。
【００１９】
上記シロッコファン６のファン吸込口２１（２１ａ）側の風洞吸込口１８には、図１、図７に示すように、ベルマウス構造の空気導入部材７が設置されている。この空気導入部材７は、シロッコファン６のファン吸込口２１に空気を誘い込む筒状部８と、筒状部８の外径方向に延びた平板部９とで構成されている。一方、裏ケース４には誘い込み形状をした位置規制リブ１４が設けられており、平板部９を位置規制リブ１４に挿入して位置規制することで空気導入部材７を本体ケース２に対して固定できるようになっている。空気導入部材７は、本体吐出口１７からの逆流やファンとファンとの間に起こる混流を減少させて性能を確保する働きをする。なお、空気導入部材７は、性能確保を狙って２つのシロッコファン６の少なくとも対向するファン吸込口２１ａ側（図３）の風洞吸込口１８に設置されればよい。もちろん、他のファン吸込口２１を含むすべてのファン吸込口に設置してもよいものである。
【００２０】
しかして、シロッコファン６の少なくとも対向するファン吸込口２１ａ側の風洞吸込口１８に、ベルマウス構造の空気導入部材７を設けることで、２つのシロッコファン６を同一軸上に設置した構造でありながら、ファンとファンとが互いに影響しあうことによる性能低減を防止できる。つまり、２つのシロッコファン６の少なくとも対向するファン吸込口２１ａ側は、本体吐出口１７からの逆流や、ファンとファンとの間の空気の混流が生じやすい部分であり、この部分にベルマウス構造の空気導入部材７を設けることで、ファン吸込口２１ａへの空気の流れがスムーズとなり、空気清浄器１の性能向上が図られると共に、ロスの低減と騒音の低減とが図られる。また空気導入部材７はファン吸込口２１に空気を誘い込む筒状部８と、筒状部８の外径方向に延びて本体ケース２に対して位置規制される平板部９とで構成されているので、空気導入部材７が本体ケース２に対して容易に固定され、組み立て性が向上する。
【００２１】
ここで、図５、図６は本発明のベルマウス構造の空気導入部材７の有無による性能を比較したものである。ここでは、外径１１４．０ｍｍ、内径８１．５ｍｍのシロッコファン６に対して、外径７８．５ｍｍ、内径７６．５ｍｍの空気導入部材７を風洞吸込口１８に設置した時のデータを示している。図５は、回転数１９５０ｒｐｍにおけるＰ（圧力）−Ｑ（風量）特性であり、横軸が風量、縦軸が静圧になっている。本発明のベルマウス構造の空気導入部材７を設置することで約１〜１．５ｍｍＡｑ程静圧が大きくなり、より圧力損失に強い静圧型になっていることが判る。また、図６は、風量に対する騒音の関係であり、ベルマウス構造の空気導入部材７を設置することで、同一風量で約１〜２ｄＢ下がっていることが判る。
【００２２】
ところで、図１のように空気導入部材７の位置規制を裏ケース４の風洞５の側面において行うと、風洞５側からの誘い込み形状を形成しにくくなる。つまり、図１の幅イの分だけ風洞流路幅ｅ（図１０）を狭くしなければならず、この風洞流路幅ｅが狭くなることで性能の確保が困難になる。そこで、本発明の一実施形態として、図８に示すように、空気導入部材７の平板部９の外周側に、先端になる程風洞吸込口１８側に向けて傾斜した誘い込み板１０を突設し、この誘い込み板１０の先端１０ａを図９に示すように、本体ケース２に設けた位置規制リブ１４に位置規制する。誘い込み板１０は筒状部８とは反対側に延びており、誘い込み板１０の先端１０ａが裏ケース４の誘い込み形状をした位置規制リブ１４に挟まれることによって、空気導入部材７を固定できると共に、空気導入部材７を風洞５側面（図１の壁面９８）から離した位置で固定することができるものである。つまり、風洞流路幅ｅ（図１０）が図１の幅イと図９の幅ロとの差の分だけ広がることで、風洞５の流路を確保できるようになる。しかも誘い込み板１０によって空気導入部材７全体がベルマウス構造を有する誘い込み形状となるので、空気導入部材７本来の目的である誘い込み性能の向上を図ることができる。
【００２３】
空気導入部材７の位置規制のための他の例を図１１に示す。本例では空気導入部材７の平板部９に、風洞吸込口１８の内径寸法と略同寸法の段差部１１を設け、表ケース３と裏ケース４に段差部１１を挟持して位置規制するための位置規制部ａ１，ａ２，ｂ１，ｂ２とを設け、本体ケース２の組み立て時に段差部１１を位置規制部ａ１，ａ２，ｂ１，ｂ２により挟み込むことで、空気導入部材７を位置規制するものである。しかして、段差部１１を本体ケース２の位置規制部ａ１，ａ２，ｂ１，ｂ２にて挟み込むことで、空気導入部材７を本体ケース２に対して容易に位置規制できるので、固定用リブなど複雑な構造のものを別に設ける必要がなくなり、構造の簡略化が可能になり、組立性を向上させることができる。
【００２４】
図１２は更に他の実施形態を示している。ちなみに、空気導入部材７を本体ケース２の風洞５内に組み込むにあたって、先に駆動用モーター２０の回転軸に連結される軸３１と複数のシロッコファン６とが本体ケース２内に先に組み込まれている場合にあっては、空気導入部材７をシロッコファン６の軸３１に通すことができず、空気導入部材７を組み込むことができないという問題がある。そこで、本例では図１２に示すように、空気導入部材７に一端が筒状部８の内側に開口し、他端が平板部９の外側に開口したスリット孔１２を形成してある。このスリット孔１２内にシロッコファン６の軸３１を通すことで空気導入部材７を風洞吸込口１８に設置できるものとなる。つまりシロッコファン６が同一軸上に複数ある場合において、シロッコファン６と駆動用モーター２０の軸３１とが本体ケース２内に先に組み込んであっても、空気導入部材７に設けたスリット孔１２に軸３１を通すようにすることで、後から空気導入部材７を組み込むことができ、組立性が良くなる。
【００２５】
図１３は更に他の実施形態を示している。図１２のように空気導入部材７にスリット孔１２を形成すると、ファン回転時において、スリット孔１２に空気が通過する時に、ピー音などの耳障りな音の発生原因になる可能性が考えられる。そのために、空気導入部材７の設置時にはスリット孔１２を塞ぐ必要がある。そこで本例では、図１３に示すように、表ケース３の風洞５側面に係止リブ１５を突設させ、空気導入部材７の両側の下部側面にリブ嵌合面１３をそれぞれ設けることで、空気導入部材７を本体ケース２内に装着した時に空気導入部材７のリブ嵌合面１３が位置規制リブ１４により位置規制されて、スリット孔１２が密着した状態となり、ピー音などの耳障りな音の発生が抑えられるようになっている。このようにスリット孔１２を設けた構造でありながら、性能の確保が容易となる。
【００２６】
図１４は、空気導入部材７が係止リブ１５に誘い込みやすくなるように、空気導入部材７のリブ嵌合面１３には下端になる程内側に傾斜した傾斜面１３ａを設けた場合を示している。これにより、空気導入部材７が係止リブ１５間にスムーズに係止されることとなり、しかも空気導入部材７を風洞吸込口１８に設置しただけでスリット孔１２が閉じられるようになり、組立性を向上させることができる。
【００２７】
なお、スリット孔１２を塞がずに騒音低下を図る方法として、図１５に示すように、平板部９のスリット孔１２をシロッコファン６のファン吐出口に直接対向しない位置に設けるようにしてもよい。この例では、裏ケース４の本体吐出口１７から最も遠い位置に空気導入部材７のスリット孔１２を位置させているので、仮にスリット孔１２でピー音などの耳障りな音が発生した場合においても、その音は本体吐出口１７から遠い位置で発生する為に、ファン回転時のスリット孔１２での騒音を減少できる。
【００２８】
ここで、前記各実施形態において、空気導入部材７は軟質合成樹脂などの弾性体で構成されているのが望ましい。弾性体で構成することで、空気導入部材７の組込時に弾性のたわみを利用することができ、しかも空気導入部材７の取り付け作業が容易となり、組立性の向上を図ることができる。
【００２９】
また、前記各実施形態では、空気導入部材７を別部材で構成したが、シロッコファン６と一体型にしてもよい。その一例を図１６、図１７に示す。図１６は、シロッコファン６のファン吸込口２１側の羽根側面２２ａと空気導入部材７とを一体に構成してある。これにより空気導入部材７を別部品で構成する必要がなく、しかも空気導入部材７を本体ケース２に固定するための位置規制リブなどを設ける必要もないので、部品点数の削減と組立性の向上とを図ることができる。また図１７に示すように、空気導入部材７の外径寸法を羽根２２の外径寸法よりも大きくして、空気導入部材７の外周部７ａを風洞５内壁と重なる位置に配置するのが好ましい。この場合、シロッコファン６と一体型の空気導入部材７を風洞５内壁とオーバーラップさせることができて、空気導入部材７の外周部７ａを利用して空気のリーク防止を図ることができる上に、ファンからの吐出風とファンヘの吸込風を空気導入部材７を利用して分離できるようになるので、ロスの低減効果と騒音減少効果に一層有効となる。
【００３０】
前記各実施形態では、２つのシロッコファン６を同一軸上に設置した構造を例示したが、もちろん、シロッコファン６の数は３つ以上であってもよいものである。
【００３１】
【発明の効果】
上述のように請求項１記載の発明にあっては、表ケースと裏ケースとからなる本体ケースの一面に本体吸込口、他面に本体吐出口をそれぞれ設け、本体ケース内に表ケースと裏ケースとから突出した壁面により形成される複数の渦巻き形状の風洞を設け、各風洞は風洞吸込口と風洞吐出口とを有しており、本体ケース内に空気を送るための送風部が駆動用モーターと各風洞内に同一軸上に設置される複数のシロッコファンとを有していると共に、シロッコファンのファン吸込口が風洞吸込口に近接しており、風洞吸込口と本体吸込口との間には送風部により吸い込まれた空気を浄化するためのフィルターを備えている空気清浄器において、複数のシロッコファンのうちの少なくとも対向しているファン吸込口側の風洞吸込口に、ベルマウス構造の空気導入部材を配設してなるので、空気導入部材によってファン吸込口内への空気の導入がスムーズになされ、本体吐出口からの逆流や、ファンとファンとの間の空気の混流を減少させることができる。従って、複数のシロッコファンを同一軸上に設置した構造でありながら、ファンとファンとが互いに影響しあうことによる性能低減を防止でき、さらに圧力損失の低減と騒音の低減とを図ることができる結果、空気清浄器の性能向上が図られる。また上記空気導入部材は、シロッコファンのファン吸込口に空気を誘い込む筒状部と、筒状部の外径方向に延びて本体ケースに対して位置規制される平板部とで構成されているので、空気導入部材による性能の確保を図りながら、空気導入部材を本体ケースに対して容易に固定でき、組立性を向上させることができる。また上記空気導入部材の平板部の外周側に、先端になる程風洞吸込口側に向けて傾斜した誘い込み板を突設し、この誘い込み板の外周端を本体ケースに設けた位置規制リブに位置規制してなるので、本体ケースの位置規制リブによって風洞流路幅が狭くなるのを、誘い込み板によって防止できる。従って、風洞流路幅を広く確保して空気導入部材の本来の目的である誘い込み機能を向上させることができる。
【００３２】
また請求項２記載の発明は、空気導入部材の平板部に段差部を設け、表ケースと裏ケースに段差部を挟持して位置規制する位置規制部を設けてなるので、本体ケースの組み立て時に段差部を挟持して位置規制することで空気導入部材を簡単に固定できる。従って、固定用リブなど複雑な構造のものを本体ケースに別に設ける必要がなくなり、構造の簡略化が可能になり、組立性を一層向上させることができる。
【００３３】
また請求項３記載の発明は、請求項１又は請求項２記載の効果に加えて、空気導入部材に、一端が筒状部の内側に開口し、他端が平板部の外側に開口したスリット孔を形成し、スリット孔内にシロッコファンの軸を通すことで空気導入部材を風洞吸込口に設置できるようにし且つこの設置状態でスリット孔が閉じられるように構成されているので、空気導入部材を本体ケースの風洞内に組み込むにあたって、先に複数のシロッコファンと軸とが先に本体ケース内に組み込まれている場合にあっても、スリット孔内にシロッコファンの軸を通すことで空気導入部材を後から設置することができ、組立性が良くなる。また、空気導入部材を設置した時にスリット孔が閉じられるので、スリット孔に空気が通過して騒音の要因になる可能性がなくなり、スリット孔での騒音発生を抑えることができる。
【００３４】
また請求項４記載の発明は、請求項１〜請求項３のいずれかに記載の効果に加えて、空気導入部材を本体ケースに設けた位置規制リブに嵌合させると共に、空気導入部材のリブ嵌合面に誘い込み用の傾斜面を設けたので、空気導入部材を本体ケース内に装着した時に空気導入部材のリブ嵌合面が位置規制リブにより位置規制されて、スリット孔が密着した状態となるので、スリット孔を設けた構造でありながら、空気導入部材の性能を確保でき、しかも、スリット孔に空気が通過する時の騒音の発生は、係止リブにてスリット孔を側面から規制して密着させることで解決でき、スリット孔での騒音の発生を効果的に抑えることができるものである。
【００３５】
また請求項５記載の発明は、請求項３記載の効果に加えて、平板部のスリット孔をシロッコファンのファン吐出口に直接対向しない位置に設けたので、仮にスリット孔で騒音が発生したときでも、その騒音は本体吐出口から遠い位置で発生するために、ファン回転時のスリット孔での騒音が外部に漏れるのを有効に防止できる。
【００３６】
また請求項６記載の発明は、請求項１〜請求項５のいずれかに記載の効果に加えて、空気導入部材を弾性体で構成したので、空気導入部材の本体ケースへの組込時において弾性のたわみを利用することができるので、空気導入部材の取り付け作業が容易にでき、組立性の向上を図ることができる。
【００３７】
また請求項７記載の発明は、請求項１記載の効果に加えて、シロッコファンのファン吸込口側の羽根側面と空気導入部材とを一体に構成したので、空気導入部材をシロッコファンとは別部品で構成する必要がなく、また空気導入部材を本体ケースに固定するための部品を設ける必要もなくなり、部品点数の削減と組立性の向上とを図ることができる。
【００３８】
また請求項８記載の発明は、請求項７記載の効果に加えて、空気導入部材の外径寸法を羽根の外径寸法よりも大きくして、空気導入部材の外周部を風洞内壁と重なる位置に配置したので、風洞内壁と空気導入部材の外周部とをオーバーラップさせることができ、リーク防止に役立つ上に、シロッコファンからの吐出風とシロッコファンヘの吸込風とを分離することができるので、ロスの低減と騒音減少とを図ることができる。
【図面の簡単な説明】
【図１】  本発明の基本概念を説明する断面図である。
【図２】  同上の空気清浄器の分解斜視図である。
【図３】  同上の２つのシロッコファンを同一軸上に設置した状態の説明図である。
【図４】  同上の空気清浄器の空気の流れを説明する断面図である。
【図５】  同上の風量と静圧との関係を示すグラフである。
【図６】  同上の風量と騒音との関係を示すグラフである。
【図７】  （ａ）（ｂ）は同上の空気導入部材の基本概念を説明する正面図及び側面図である。
【図８】  （ａ）（ｂ）は本発明の一実施形態の空気導入部材を示す正面図及び側面図である。
【図９】  同上の空気導入部材の取り付け状態の一例を示す断面図である。
【図１０】  本発明の他の実施形態の断面図である。
【図１１】  更に他の実施形態の断面図である。
【図１２】  （ａ）（ｂ）は同上の空気導入部材の更に他例を示す正面図及び側面図である。
【図１３】  図１２の空気導入部材の取り付け状態を説明する断面図である。
【図１４】  同上の空気導入部材の更に他例を示す正面図である。
【図１５】  更に他の実施形態の断面図である。
【図１６】  （ａ）は更に他の実施形態の断面図、（ｂ）は（ａ）の一部正面図である。
【図１７】  更に他の実施形態の断面図である。
【符号の説明】
１  空気清浄器
２  本体ケース
３  表ケース
４  裏ケース
５  風洞
６  シロッコファン
７  空気導入部材
７ａ  外周部
８  筒状部
９  平板部
１０  誘い込み板
１１  段差部
１２  スリット孔
１３  傾斜面
１４  位置規制リブ
１６  本体吐出口
１７  本体吸込口
１８  風洞吸込口
１９  風洞吐出口
２０  駆動用モーター
２１  ファン吸込口
２２  羽根
２２ａ  羽根側面
ａ１，ａ２，ｂ１，ｂ２  位置規制部
３１  軸
【図１】
0003700477.tif 000002
【図２】
0003700477.tif 000003
【図３】
0003700477.tif 000004
【図４】
0003700477.tif 000005
【図５】
0003700477.tif 000006
【図６】
0003700477.tif 000007
【図７】
0003700477.tif 000008
【図８】
0003700477.tif 000009
【図９】
0003700477.tif 000010
【図１０】
0003700477.tif 000011
【図１１】
0003700477.tif 000012
【図１２】
0003700477.tif 000013
【図１３】
0003700477.tif 000014
【図１４】
0003700477.tif 000015
【図１５】
0003700477.tif 000016
【図１６】
0003700477.tif 000017
【図１７】
0003700477.tif 000018